(57)【要約】【課題】石油資源の節減や廃棄物に係る環境保全等を考慮した紙製の外側容器と薄肉のプラスチック製内側容器が一体化されている複合容器において、その一体化に食品や医薬品等に対し安全性や衛生性に欠ける危惧のある接着剤を必要とせず、外側容器への美粧印刷が可能で、かつ外側容器の紙と内側容器のプラスチックが容易に分離分別可能な環境調和型の複合容器の提供にある。【解決手段】上記外側容器１０の胴部及び又は底部の少なくとも一箇所に切り欠き開口部１２を有し、前記内側容器２０には、切り欠き開口部１２に相当する位置にアンダーカット部２２が形成されていて、これら切り欠き開口部１２にアンダーカット部２２が嵌合固着されている複合容器１で、さらに外側容器１０には二重紙層部１４を有している複合容器である。【選択図】図１
2004083091.tif 000002
【特許請求の範囲】
【請求項１】
紙を主体とした外側容器と、その外側容器内に収納され、一体で無継目に成形されたプラスチック製の内側容器とでなる複合容器において、前記外側容器の胴部および／または底部の少なくとも一箇所に切り欠き開口部を有し、前記内側容器には、前記外側容器の切り欠き開口部の周縁に相当する位置にアンダーカット部が形成されていて、前記外側容器の切り欠き開口部に内側容器に形成されているアンダーカット部が嵌合され固着されていることを特徴とする複合容器。
【請求項２】
上記外側容器の少なくとも一箇所が二重の紙層部分を有していることを特徴とする請求項１記載の複合容器。
【請求項３】
上記内側容器の成形と、内側容器へのアンダーカット部の形成と、該アンダーカット部と外側容器の切り欠き開口部との嵌合は、雌型内に外側容器を載置してその内部で成形する真空成形法、圧空成形法、真空圧空成形法、ブロー成形法あるいはインジェクション成形法のいずれかでなされていることを特徴とする請求項１または２記載の複合容器。
【発明の詳細な説明】
【０００１】
【発明の属する技術分野】
本発明は、食品や医療・医薬品等を収納し密封性を必要とする容器に関するものであり、さらに詳しくは、石油資源の節減や廃棄物に係る環境保全等を考慮した紙を主体とした外側容器と上端開口部にフランジ部を有するプラスチック製の内側容器の組み合わせでなる複合容器に関する。
【０００２】
【従来の技術】
従来、食品や医療・医薬品等を収納し、さらに密封性を必要とする容器として、ポリプロピレンやポリエチレンテレフタレート等プラスチック製の上端開口部にフランジ部を有するトレー状容器が知られ、そのフランジ部にヒートシール等で蓋材を密封するプラスチック製容器が広く用いられている。
【０００３】
しかし近年、廃棄物の増加や石油資源の枯渇等による地球規模での環境問題が叫ばれている中、上記プラスチック製のトレー状容器においても、プラスチック部を超薄肉とした内側容器とそれを補強するための紙製の外側容器とを組み合わせて複合容器とすることによって、石油資源の節減が図られ、また使用後の廃棄に際し紙とプラスチックとを容易に分離分別してそれぞれのリサイクル化が図られるようにした環境調和型の容器が種々提案されている。
【０００４】
上記紙とプラスチックの組み合わせでなる環境調和型の容器として、例えば特開平２−２６３６２５号公報や実開平３−２３０１４号公報に提案されているように、外装が紙製のスリーブで、内装が合成樹脂製のカップでなり、そのスリーブの接着部に易分離用の引きちぎり部を設けた容器で、この引きちぎり部を設けることによって、簡単に紙とプラスチックを分離できるようにしたもので、かつ内装である合成樹脂製のカップには紙スリーブが落下しないように、ノッチが設けられた合成樹脂製容器がある。
【０００５】
しかしながら、上記事例の複合容器は、単なる紙製スリーブの巻き付けのみによるものであって、プラスチックの使用率が高く（石油資源の節減が図れず）、かつ印刷適性は底部にはなく、印刷適性に優れる範囲が少ないという問題点があった。
【０００６】
また、上記紙とプラスチックの組み合わせでなる容器として、例えば実公平３−５６５０６号公報に提案されているように、シート成形で紙製の外側容器内にプラスチック製の内側容器を一体化した窓付きの複合容器としたもので、その一体化に紙製の外側容器の内面全面に熱溶融性の接着剤が塗布によって介在している複合容器がある。
【０００７】
しかしながら、上記事例の複合容器は、熱溶融性の接着剤が介在しているため、接着剤の塗布工程とその材料が多くなることに加え、この熱溶融性の接着剤は、熱溶融等で溶出される低分子量物質が内側容器（プラスチック）を通して内容物である食品や医薬品に対し、食品の味を変えたり、医薬品等の安全性（衛生性等を含む）を欠いたりする危惧があるという問題があり、好ましくないものであった。
【０００８】
【発明が解決しようとする課題】
本発明は、かかる従来技術の問題点を解決するものであり、その課題とするところは、食品や医療・医薬品等を収納し密封性を必要とする容器で、石油資源の節減や廃棄物に係る環境保全等を考慮した紙を主体とした外側容器と上端開口部にフランジ部を有する薄肉のプラスチック製内側容器の組み合わせで一体化される複合容器において、その一体化に塗布工程と材料による製造コストが嵩む、かつ食品や医薬品等に対し安全性や衛生性に欠ける危惧のある接着剤を必要とせず、紙製でなる外側容器の胴部と底部へも美粧印刷が可能で、かつプラスチック製内側容器の薄肉化で石油資源の節減を図れ、外側容器の紙と内側容器のプラスチックが容易に分離分別可能でリサイクルを容易にする環境調和型の複合容器を提供することにある。
【０００９】
【課題を解決するための手段】
本発明に於いて上記課題を達成するために、まず請求項１の発明では、紙を主体とした外側容器と、その外側容器内に収納され、一体で無継目に成形されたプラスチック製の内側容器とでなる複合容器において、前記外側容器の胴部および／または底部の少なくとも一箇所に切り欠き開口部を有し、前記内側容器には、前記外側容器の切り欠き開口部の周縁に相当する位置にアンダーカット部が形成されていて、前記外側容器の切り欠き開口部に内側容器に形成されているアンダーカット部が嵌合され固着されていることを特徴とする複合容器としたものである。
【００１０】
上記請求項１の発明によれば、上記紙を主体とした外側容器の切り欠き開口部にプラスチック製の内側容器のアンダーカット部が嵌合され固着されていて、この固着に接着剤が使用されていないので、その工程が短縮されているとともに、内容物への低分子量物質の溶出の危惧がなく、食品や医薬品に対する安全性や衛生性に優れ、また胴部と底部を有する紙を主体とした外側容器によって、プラスチック製の内側容器を補強することかできるので、プラスチック製の内側容器の薄肉化が図られ、かつその胴部と底部とともに印刷適性を有する面とし美粧性に優れる印刷が可能で、また、プラスチック製の内側容器によって、耐水性等各種耐性や衛生性等を保持することができる複合容器とすることができる。また、紙を主体とした外側容器の切り欠き開口部に嵌合されているプラスチック製の内側容器のアンダーカット部を外すことによって、外側容器と内側容器を容易に分離分別することができ、それぞれのリサイクルを容易にし、上記内側容器の薄肉化とともに環境保全に配慮された複合容器を提供できる。
【００１１】
また、請求項２の発明では、上記外側容器の少なくとも一箇所が二重の紙層部分を有していることを特徴とする請求項１または２記載の複合容器としたものである。
【００１２】
上記請求項２の発明によれば、外側容器の二重の紙層部分（糊代片とそれが貼着される部分）を設けることによって、その段差部に内側容器の樹脂が成形時に入り込むので、外側容器と内側容器との固着を補完することができ、特に外側容器の切り欠き開口部に二重の紙層部分を有することによって、この切り欠き開口部と成形時に使用される雌型とのクリアランス部が二重の紙厚に相当するので、このクリアランス部に内側容器の樹脂が入り込んで嵩高のアンダーカット部を形成し、よって外側容器と内側容器との嵌合固着をより強固にする複合容器とすることができる。
【００１３】
さらにまた、請求項３の発明では、上記内側容器の成形と、内側容器へのアンダーカット部の形成と、該アンダーカット部と外側容器の切り欠き開口部との嵌合は、雌型内に外側容器を載置してその内部で成形する真空成形法、圧空成形法、真空圧空成形法、ブロー成形法あるいはインジェクション成形法のいずれかでなされていることを特徴とする請求項１または２記載の複合容器としたものである。
【００１４】
上記請求項３の発明によれば、上記プラスチック製の内側容器の成形とともに、そのアンダーカット部の形成と、このアンダーカット部と外側容器の切り欠き開口部との嵌合固着を上記成形法で一挙になされるので、生産性に優れかつ外側容器と内側容器の固着に接着剤を必要とせず、よってこの接着剤塗布に係わる工程短縮と材料節減による製造コストの低減と、食品に対する味の変化や医療・医薬品に対する安全性と衛生性を保持できる複合容器とすることができる。
【００１５】
【発明の実施の形態】
以下本発明の実施の形態を図面を用いて詳細に説明する。
【００１６】
本発明は、食品や医療・医薬品等を収納し密封性を必要とするトレー状の容器に関するものであり、さらに詳しくは、石油資源の節減や廃棄物に係る環境保全等を考慮したもので、例えば図１（ｂ）の側断面図に示すように、紙製の外側容器（１０）とその内面に、上端開口部にフランジ部（２１）を有するプラスチック製の内側容器（２０）を接合して組み合わされたトレー状の複合容器（１）に関するものである。
【００１７】
そこで上記請求項１に係る発明は、図１（ａ）の斜視図およびそのＡ面とＣ面を表す図１（ｂ）の断面図に示すように、例えば紙製の外側容器（１０）と、その外側容器（１０）内に収容され、一体で無継目に成形されているプラスチック製の内側容器（２０）とが固着されてなるトレー状の複合容器（１）において、このプラスチック製の内側容器（２０）は、従来のプラスチック製の容器に比べ、超薄肉とし、その薄い分を紙製の外側容器（１０）で補強して石油資源の節約を図り、使用後は紙とプラスチックを分離分別し、それぞれをリサイクルし易くした環境調和型の複合容器（１）としたもので、その特徴とするところは、紙製でトレー状の外側容器（１０）の胴部の一面に切り欠き開口部（１２）を有し、この外側容器（１０）内に収容されている内側容器（２０）には、この切り欠き開口部（１２）に食い込むようにアンダーカット部（２２）が形成されていて、この切り欠き開口部（１２）にアンダーカット部（２２）が嵌合し、外側容器（１０）と内側容器（２０）が固着されている複合容器（１）であり、さらに外側容器（１０）の胴部と底部へも印刷適性を持たせた美粧性に優れたトレー状の複合容器（１）とするものである。
【００１８】
上記図１（ａ）、（ｂ）に示す切り欠き開口部（１２）は、その外側容器（１０）の対向面のもう一箇所に設けて、外側容器（１０）と内側容器（２０）の固着を平均化することもできる。
【００１９】
また、図２（ａ）の斜視図およびそのＡ面とＢ面を表す図２（ｂ）の断面図に示すように、例えば紙製の外側容器（１０）と、その外側容器（１０）内に収容され、一体で無継目に成形されているプラスチック製の内側容器（２０）とが固着されてなるトレー状の複合容器（１）において、紙製でトレー状の外側容器（１０）の胴部の一面の２箇所に三角形状の切り欠き開口部（１２）を設け、さらに対向する面の２箇所に同様の三角形状の切り欠き開口部（図示せず）を設けて、これら切り欠き開口部（１２）に相当する内側容器（２０）のアンダーカット部（２２）の嵌合で、外側容器（１０）と内側容器（２０）の固着をより強固にかつ平均化されて固着されている複合容器（１）とすることもできる。
【００２０】
また、図３（ａ）の斜視図およびそのＡ面とＢ面を表す図３（ｂ）の断面図に示すように、例えば紙製でトレー状の外側容器（１０）の底部の１箇所に四角形状の対向する２辺が切断され、その四角形状の対向する他の２辺で内部に折り曲げられている切り欠き開口部（１２）を設けて、これら切り欠き開口部（１２）に相当する内側容器（２０）のアンダーカット部（２２）の嵌合で、外側容器（１０）と内側容器（２０）の固着を強固にする複合容器（１）とすることもできる。
【００２１】
また、図４（ａ）の斜視図およびそのＡ面を表す図４（ｂ）の断面図に示すように、例えば紙製でトレー状の外側容器（１０）の底部の２箇所に四角形状の３辺が切断され、その四角形状の他の１辺で内部に折り曲げられている切り欠き開口部（１２）を設けて、これら切り欠き開口部（１２）に相当する内側容器（２０）のアンダーカット部（２２）の嵌合で、外側容器（１０）と内側容器（２０）の固着をより強固にする複合容器（１）とすることもできる。
【００２２】
さらにまた、図５（ａ）の斜視図およびそのＢ面を表す図５（ｂ）の断面図に示すように、例えば紙製でトレー状の外側容器（１０）の底部の４コーナーに、それぞれ４個の切り欠き開口部（１２）を設けて、これら切り欠き開口部（１２）に相当する内側容器（２０）のアンダーカット部（２２）の嵌合によって、外側容器（１０）と内側容器（２０）の固着をより強固にする複合容器（１）とすることもできる。
【００２３】
また、上記請求項１に係る発明では、図示しないが、上記切り欠き開口部を外側容器の胴部と底部の両面に１箇あるいは複数箇設け、これら切り欠き開口部のそれぞれに内側容器に形成されているアンダーカット部が嵌合され固着している複合容器とすることもできる。
【００２４】
また、上記請求項２に係る発明は、例えば図１（ａ）および図２（ｂ）に示すように、外側容器（１０）の胴部一面の一箇所に紙層が２重になっている２重紙層部（１４）を有している複合容器（１）であり、このように紙層が２重になっていて厚い２重紙層（１４）があると、この厚み分だけ内側容器（２０）の樹脂が入り込み易くなり、その結果内側容器（２０）と外側容器（１０）との接合固着を補完する複合容器（１）とすることができる。この２重紙層部（１４）が対向する胴部面にもう一個の２重紙層部（図示せず）を設けてもよく、さらにはこれらの面の他の２面に設けても接合固着の補完をより優位なものとすることもできる。
【００２５】
また、上記請求項２に係る発明は、例えば図６（ａ）の斜視図およびそのＡ面とＢ面を表す図６（ｂ）の断面図に示すように、外側容器（１０）の胴部一面および対向する面（図示せず）の下端一箇所に切り欠き開口部（１２）をそれぞれ有し、これら切り欠き開口部（１２）の下端に紙層が合わされて２重になっている２重紙層部（１４）を有している複合容器（１）であり、このように、外側容器の切り欠き開口部（１２）に２重紙層部（１４）を有することによって、この切り欠き開口部（１２）と成形時に使用される雌型（図示せず）とのクリアランス部が２重紙層部（１４）の紙厚に相当するので、このクリアランス部に内側容器（２０）の樹脂が入り込んで嵩高のアンダーカット部（２２）を形成し、よって外側容器（１０）と内側容器（２０）との嵌合固着をより強固にする複合容器（１）とすることができる。
【００２６】
さらにまた、上記請求項２に係る発明は、例えば図７（ａ）の斜視図およびそのＣ面とＤ面を表す図７（ｂ）の断面図に示すように、外側容器（１０）の胴部一面および対向する面（図示せず）の下端一箇所に切り欠き開口部（１２）をそれぞれ有し、これら切り欠き開口部（１２）の上端に、この切り欠き開口部（１２）を形成した紙層の折り返しでなる紙層が合わされて２重になっている２重紙層部（１４）を有している複合容器（１）であり、このように、外側容器の切り欠き開口部（１２）に２重紙層部（１４）を有することによって、この切り欠き開口部（１２）と成形時に使用される雌型（図示せず）とのクリアランス部が２重紙層部（１４）の紙厚に相当するので、このクリアランス部に内側容器（２０）の樹脂が入り込んで嵩高のアンダーカット部（２２）を形成し、よって外側容器（１０）と内側容器（２０）との嵌合固着をより強固にする複合容器（１）とすることができる。
【００２７】
また、上記請求項３に係る発明は、例えば図８の側断面図に示すように、プラスチック製の内側容器（２０）の成形と、この内側容器（２０）に対するアンダーカット部（２２）の形成と、さらにこのアンダーカット部（２２）と外側容器（１０）の切り欠き開口部（１２）との嵌合は、雌型（３０）内に外側容器（１０）を載置し、その外側容器（１０）の内部に樹脂シートにより成形する真空成形法、圧空成形法、真空圧空成形法、あるいはパリソンを載置して成形するブロー成形法、溶融樹脂を射出して成形するインジェクション成形法のいずれかでなされている複合容器（１）である。
【００２８】
このように、プラスチック製の内側容器（２０）の成形とともに、そのアンダーカット部（２２）の形成と、このアンダーカット部（２２）と外側容器（１０）の切り欠き開口部（１２）との嵌合固着を上記成形法で一挙に行うことができるので、従来のように接着剤で固着していたものに比べ、接着剤塗布に係わる工程短縮と材料節減による製造コストの低減が図られ、かつ食品に対する味の変化や医療・医薬品に対する安全性と衛生性を保持できる複合容器（１）とするものである。
【００２９】
以下に本発明の複合容器を構成する材料等についてその実施の形態をさらに詳しく説明する。
まず本発明の複合容器を構成する外側容器の材料としては、坪量１５０〜５００ｇ／ｍ２　の範囲の板紙で、例えばコートボール、ノーコートボール、アイボリー、特殊マニラあるいはチップボール等板紙が挙げられ、さらには段ボールでもよいが、表面への印刷適性を考慮すればコートボールやアイボリー等が好ましく用いられ、美粧性に優れた複合容器を得ることができる。
【００３０】
また、本発明の複合容器を構成する内側容器の材料としては、熱可塑性樹脂が好ましく使用することができ、その成形方法によって成形適性が少々異なるが、例えばポリエチレンテレフタレート樹脂、ポリプロピレン樹脂、ポリスチレン樹脂、変性ポリオレフィン樹脂、ポリエチレン樹脂およびこれら混合物、ポリアクリロニトリル樹脂、ポリ塩化ビニル樹脂、エチレン−酢酸ビニル共重合体樹脂、ポリカーボネート樹脂、ナイロン樹脂あるいはポリビニルアルコール樹脂等が挙げられ、内容物の種類やその保存（耐）性あるいは成形方法等によって適宜選定される。例えば延伸ブロー成形の場合は、延伸ブロー成形性がよく、水蒸気バリア性に優れ、衛生性も良好であることからポリプロピレン樹脂が好適に使用される材料である。
【００３１】
上記材料でなる外側容器と内側容器の厚みは、複合容器としてのサイズにもよるが、例えば上端開口部が１１０×８０ｍｍ、底部が９０×６０ｍｍ、高さが３５ｍｍのトレー状容器の場合、外側容器を形成する板紙の坪量は、２７０ｇ／ｍ２　程度で、内側容器を形成するプラスチックの厚みは、環境面からは薄い方が好ましく、４０〜８０μｍ程度とするのが一般的である。
【００３２】
【発明の効果】
本発明は以上の構成であるから、下記に示す如き効果がある。
即ち、上記請求項１に係る発明においては、紙を主体とした外側容器と、その外側容器内に収納され、一体で無継目に成形されたプラスチック製の内側容器とでなる複合容器において、前記紙を主体とした外側容器の切り欠き開口部にプラスチック製の内側容器のアンダーカット部が嵌合され固着されていて、この固着に接着剤が使用されていないので、その工程が短縮されているとともに、内容物への低分子量物質の溶出の危惧がなく、食品や医薬品に対する安全性や衛生性に優れ、また胴部と底部を有する紙を主体とした外側容器によって、プラスチック製の内側容器を補強することかできるので、プラスチック製の内側容器の薄肉化が図られ、かつその胴部と底部とともに印刷適性を有する面とし美粧性に優れる印刷が可能であり、さらにまたプラスチック製の内側容器によって、耐水性等各種耐性や衛生性等を保持することができる複合容器とすることができる。また、紙を主体とした外側容器の切り欠き開口部に嵌合されているプラスチック製の内側容器のアンダーカット部を外すことによって、外側容器と内側容器を容易に分離分別することができ、それぞれのリサイクルを容易にし、上記内側容器の薄肉化とともに環境保全に配慮された複合容器を提供できる。
【００３３】
また、上記請求項２に係る発明においては、外側容器に二重の紙層部分（糊代片とそれが貼着される部分）を設けることによって、この部分の段差部に、内側容器の樹脂が成形時に入り込むので、外側容器と内側容器との固着を補完することができ、特に外側容器の切り欠き開口部に二重の紙層部分を有すると、この切り欠き開口部と成形時に使用される雌型とのクリアランス部が二重の紙厚に相当するので、このクリアランス部に内側容器の樹脂が入り込んで嵩高のアンダーカット部を形成し、よって外側容器と内側容器との嵌合固着をより強固にする複合容器とすることができる。
【００３４】
さらにまた、上記請求項３に係る発明においては、上記プラスチック製の内側容器の成形とともに、そのアンダーカット部の形成と、このアンダーカット部と外側容器の切り欠き開口部との嵌合固着を、真空成形法、圧空成形法、真空圧空成形法、ブロー成形法あるいはインジェクション成形法のいずれかで一挙になされるので、生産性に優れかつ外側容器と内側容器の固着に接着剤を必要とせず、よってこの接着剤塗布に係わる工程短縮と材料節減による製造コストの低減と、食品に対する味の変化や医療・医薬品に対する安全性と衛生性を保持できる複合容器とすることができる。
【００３５】
従って本発明は、食品や医療・医薬品等を収納し密封性を必要とする容器で、石油資源の節減や廃棄物に係る環境保全等に配慮した紙を主体とした外側容器と上端開口部にフランジ部を有する薄肉プラスチック製の内側容器の組み合わせでなる複合容器において、優れた実用上の効果を発揮する。
【図面の簡単な説明】
【図１】本発明の複合容器の一実施の形態を説明する図であり、
（ａ）は、その斜視図であり、
（ｂ）は、（ａ）のＡ面およびＣ面を表す断面図である。
【図２】本発明の複合容器の他の一実施の形態を説明する図であり、
（ａ）は、その斜視図であり、
（ｂ）は、（ａ）のＡ面およびＢ面を表す断面図である。
【図３】本発明の複合容器のさらに他の一実施の形態を説明する図であり、
（ａ）は、その斜視図であり、
（ｂ）は、（ａ）のＡ面およびＢ面を表す断面図である。
【図４】本発明の複合容器のさらに他の一実施の形態を説明する図であり、
（ａ）は、その斜視図であり、
（ｂ）は、（ａ）のＡ面を表す断面図である。
【図５】本発明の複合容器のさらに他の一実施の形態を説明する図であり、
（ａ）は、その斜視図であり、
（ｂ）は、（ａ）のＢ面を表す断面図である。
【図６】本発明の複合容器のさらに他の一実施の形態を説明する図であり、
（ａ）は、その斜視図であり、
（ｂ）は、（ａ）のＡ面およびＢ面を表す断面図である。
【図７】本発明の複合容器のさらに他の一実施の形態を説明する図であり、
（ａ）は、その斜視図であり、
（ｂ）は、（ａ）のＡ面およびＢ面を表す断面図である。
【図８】本発明の複合容器の成形時の一事例の形態を説明する断面図である。
【符号の説明】
１‥‥複合容器
１０‥‥外側容器
１２‥‥切り欠き開口部
１４‥‥２重紙層部
２０‥‥内側容器
２１‥‥フランジ部
２２‥‥アンダーカット部
３０‥‥雌型
【図１】
2004083091.tif 000003
【図２】
2004083091.tif 000004
【図３】
2004083091.tif 000005
【図４】
2004083091.tif 000006
【図５】
2004083091.tif 000007
【図６】
2004083091.tif 000008
【図７】
2004083091.tif 000009
【図８】
2004083091.tif 000010